(57)【特許請求の範囲】
【請求項１】
Ｎ−クロロスルファマートおよび／またはＮ−ブロモスルファマートを含有する水溶液であることを特徴とするシアン含有廃水用処理剤。
【請求項２】
前記Ｎ−クロロスルファマートおよびＮ−ブロモスルファマートが、スルファミン酸と、次亜塩素酸および／または次亜臭素酸との反応生成物である請求項１に記載のシアン含有廃水用処理剤。
【請求項３】
請求項１または２に記載のシアン含有廃水用処理剤を、シアン含有廃水中に存在させ、該廃水中のシアンを分解させて該廃水からシアンを除去することを特徴とするシアン含有廃水の処理方法。
【請求項４】
前記シアン含有廃水中のシアン含有量に対して、前記シアン含有廃水用処理剤を、Ｎ−クロロスルファマートおよびＮ−ブロモスルファマートの合計の有効ハロゲン濃度が０．２モル当量以上になるように存在させる請求項３に記載のシアン含有廃水の処理方法。
【請求項５】
前記シアン含有廃水が、チオシアン酸およびその塩ならびにアンモニウムイオンから選択される１種以上の共存物質を含有する廃水である請求項３または４に記載のシアン含有廃水の処理方法。
【請求項６】
前記シアン含有廃水が、ｐＨ６〜１１に調整された廃水である請求項３〜５のいずれか１つに記載のシアン含有廃水の処理方法。
【発明の詳細な説明】
【技術分野】
【０００１】
本発明は、従来よりも薬剤添加量を極力抑え、簡便な操作で安全に廃水中のシアンを除去し得るシアン含有廃水用処理剤およびそれを用いるシアン含有廃水の処理方法に関する。
本発明では、各種形態で廃水中に含有するすべてのシアン、特にシアン化物イオンを簡便な操作で処理することができる。
【背景技術】
【０００２】
シアンは生態系に強い悪影響を及ぼすため、シアン含有廃水（「シアン廃水」ともいう）を自然界にそのまま放出することはできない。シアンについては水質汚濁防止法に基づき排水基準が定められており、この基準（１ｍｇ／Ｌ以下）を満たすようにシアン除去処理を行い、無害化した廃水でなければ下水などに排出できないことになっている。また、地域によっては、条例により、上記の排水基準値よりもさらに低い上乗せ排水基準が定められている。
シアンは、廃水の由来にも因り、含有量の多少はあるが、難分解性シアン錯体、易分解性シアン錯体およびシアン化物イオンの３種の形態で廃水中に存在している。
【０００３】
従来からシアン含有廃水中のシアンの除去処理として様々な方法が提案され、実用化されているが、いずれも一長一短があり、廃水の状況に応じて使い分けられている。
例えば、（１）シアン含有廃水をアルカリ性に調整した後、塩素を注入してシアンを酸化分解するアルカリ塩素法、（２）強力なオゾンの酸化力でシアンを窒素ガスと炭酸水素塩に酸化分解するオゾン酸化法および（３）非溶解性の電極を用いてシアンを電気分解し、酸化反応を行なう電解酸化法（電解法）などの酸化分解法；（４）シアン含有廃水中に、鉄イオンの供給化合物として、例えば硫酸第一鉄を添加し、難溶性のフェリ／フェロシアン化物を生成させ、これを沈殿除去する紺青法、（５）塩化亜鉛と還元剤とを添加し、生成した不溶錯体を沈殿除去する亜鉛白法および（６）２価の銅塩と還元剤とを添加し、生成した不溶錯体を沈殿除去する還元銅塩法などの不溶錯体法；（７）シアンに対して馴養させた微生物（シアン分解菌）にシアンを分解させる生物処理法；（８）シアン含有廃水を高温に保持してシアン化合物をアンモニアと蟻酸に加水分解させ、共存する重金属類を単体または酸化物として析出させる熱加水分解法および（９）シアンの分解以外に有機汚濁物をも酸化分解させる湿式酸化法などの熱水反応などがある。
【０００４】
また、本発明の出願人は、次のようなシアン含有廃水の処理方法を提案してきた。
（Ａ）シアン含有廃水に、次亜塩素酸塩および水に可溶であり、水中でマンガンイオンを形成し得るマンガン化合物を添加し、生成した水不溶性のマンガン塩を廃水から除去して、廃水中のシアンを除去するシアン含有廃水の処理方法（特許第４１０６４１５号公報：特許文献１参照）
（Ｂ）シアン化合物含有廃水に含有シアン化合物量の１．４モル以上に相当する量のホルムアルデヒドを添加して第１段の反応を行った後、次いで実質的に有効反応量の過酸化水素を含有シアン化合物量の３．０モル以上添加し、ｐＨ７．０以上で第２段の反応を行うシアン化合物含有廃水の処理方法（特開平０２−３５９９１号公報：特許文献２参照）
【０００５】
しかしながら、上記の先行技術では、煩雑な工程や操作が必要であり、それに伴い複数の反応槽が必要となる場合もある。また、チオシアン酸イオンやアンモニウムイオンが存在する廃水など、廃水の種類によってはシアン除去の効果が十分でなく、処理後の廃水のシアン濃度を排水基準（１ｍｇ／Ｌ以下）にすることができず、処理廃水をそのまま下水などに排出することができない場合もある。
また、水質汚濁防止法に基づき水素イオン濃度（ｐＨ）の排水基準は、海域では５．０〜９．０、海域外では５．８〜８．６と定められている。上記の先行技術において、廃水のｐＨを酸性やアルカリ性に調整した場合には、下水などに排出する前に、廃水のシアン濃度だけではなく、ｐＨも排水基準範囲内に調整する中和処理が必要になる場合もある。
【先行技術文献】
【特許文献】
【０００６】
【特許文献１】特許第４１０６４１５号公報
【特許文献２】特開平０２−３５９９１号公報
【発明の概要】
【発明が解決しようとする課題】
【０００７】
例えば、上記の特許文献１の方法（Ａ）では、シアン含有廃水に対して過剰量の薬剤を添加すれば、シアン濃度を規定値以下にすることができるが、薬剤添加量を極力抑えて、より安全なシアン処理を行うことが求められている。
そこで、本発明は、シアンを含有する廃水、特にチオシアン酸イオンやアンモニウムイオンなどの共存化合物が存在するシアン含有廃水に対して、従来よりも薬剤添加量を極力抑え、簡便な操作で安全に廃水中のシアンを除去し得るシアン含有廃水用処理剤およびそれを用いるシアン含有廃水の処理方法を提供することを課題とする。
【課題を解決するための手段】
【０００８】
本発明の発明者らは、上記の課題を解決すべく鋭意研究を重ねた結果、共存物質が存在するシアン含有廃水に、Ｎ−クロロスルファマートおよび／またはＮ−ブロモスルファマートを存在させることにより、意外にも、従来よりも薬剤添加量を極力抑え、簡便な操作で安全に廃水中のシアンを除去し得る事実を見出し、本発明を完成するに到った。
【０００９】
かくして、本発明によれば、Ｎ−クロロスルファマートおよび／またはＮ−ブロモスルファマートを含有する水溶液であることを特徴とするシアン含有廃水用処理剤が提供される。
【００１０】
また、本発明によれば、上記のシアン含有廃水用処理剤を、シアン含有廃水中に存在させ、該廃水中のシアンを分解させて該廃水からシアンを除去することを特徴とするシアン含有廃水の処理方法が提供される。
【発明の効果】
【００１１】
本発明によれば、シアンを含有する廃水、特にチオシアン酸イオンやアンモニウムイオンなどの共存化合物が存在するシアン含有廃水に対して、従来よりも薬剤添加量を極力抑え、簡便な操作で安全に廃水中のシアンを除去し得るシアン含有廃水用処理剤およびそれを用いるシアン含有廃水の処理方法を提供することができる。
すなわち、本発明によれば、各種形態で廃水中に含有するすべてのシアン、特にシアン化物イオンを、従来よりも薬剤添加量を極力抑え、簡便な操作で処理することができる。
よって、本発明の方法で処理した廃水をそのまま自然界に放出しても、環境に対する影響が非常に少なくできることから、本発明の方法は産業上極めて有用である。
【００１２】
本発明のシアン含有廃水用処理剤は、Ｎ−クロロスルファマートおよびＮ−ブロモスルファマートが、スルファミン酸と、次亜塩素酸および／または次亜臭素酸との反応生成物である場合に、上記の効果をさらに発揮する。
【００１３】
また、本発明のシアン含有廃水の処理方法は、次の条件：
（１）シアン含有廃水中のシアン含有量に対して、シアン含有廃水用処理剤を、Ｎ−クロロスルファマートおよびＮ−ブロモスルファマートの合計の有効ハロゲン濃度が０．２モル当量以上になるように存在させる、
（２）シアン含有廃水が、チオシアン酸およびその塩ならびにアンモニウムイオンから選択される１種以上の共存物質を含有する廃水である、および
（３）シアン含有廃水が、ｐＨ６〜１１に調整された廃水である
のいずれか１つを満たす場合に、上記の効果をより発揮する。
【発明を実施するための形態】
【００１４】
（Ａ）シアン含有廃水用処理剤
本発明のシアン含有廃水用処理剤は、Ｎ−クロロスルファマートおよび／またはＮ−ブロモスルファマートを含有する水溶液であることを特徴とする。
【００１５】
本発明のシアン含有廃水用処理剤のシアン処理の有効成分であるＮ−クロロスルファマートおよびＮ−ブロモスルファマートは、公知の方法、例えば、特表２００３−５０３３２３号、特開２００６−０２２０９７号、特表平１１−５０６１３９号、特表２００１−５０１８６９号、特表２００３−５０７３２６号及び特開２０１４−１０１２５１号などに記載の方法により調製することができる。
本発明では、スルファミン酸と、次亜塩素酸および／または次亜臭素酸との反応生成物を好適に用いることができる。
【００１６】
本発明のシアン含有廃水用処理剤の形態は水溶液であり、シアン含有廃水用処理剤としての有効成分濃度、すなわちＮ−クロロスルファマートおよびＮ−ブロモスルファマートの合計の有効ハロゲン濃度は、０．５ｍｇ／Ｌ以上である。
高濃度のシアン含有廃水用処理剤を用いる場合には、使用時に適宜、工業用水などの水で希釈すればよい。また、その場で有効成分を反応生成させる場合には、反応後の濃度がその処理条件に合うように、反応前の各化合物の水溶液濃度を適宜設定すればよい。
また、本発明のシアン含有廃水用処理剤のｐＨは１２以上であるのが好ましいが、その場で有効成分を反応生成させる場合にはこの限りではなく、スルファミン酸およびその塩の酸性を中和し得るアルカリ量であればよい。
【００１７】
（シアン含有廃水）
本発明において処理対象となるシアン含有廃水としては、製鉄工場、化学工場、メッキ工場、コークス製造工場、金属表面処理工場などから排出される金属のシアン化合物、シアン化物イオン、シアン錯体、シアノ錯イオンなどを含むシアン含有廃水、放射能汚染水の処理工程において排出されるシアン含有廃水、土壌の処理装置から排出されるシアン含有廃水が挙げられる。特に、本発明のシアン含有廃水の処理方法は、コークス炉廃水のような、緩衝作用の強いシアン含有廃水、すなわちチオシアン酸およびその塩ならびにアンモニウムイオンを含有するシアン含有廃水の処理に好適である。
【００１８】
シアン含有廃水には、様々な共存物質、例えば、酸化剤と容易に反応し、ばっ気処理などにおいても反応すると考えられる、硫化物イオン、亜硫酸イオン、亜硝酸イオン、チオ硫酸イオン、ヒドラジン、第一鉄などの還元物質、ある一定以上の酸化力を有する酸化剤でなければ反応しないと考えられる、シアン化物イオン、チオシアン酸イオン、アンモニウムイオン、有機物（ホルムアルデヒド、アミノ酸、たんぱく質、微生物）などの難分解性物質が含まれている。
【００１９】
これらの物質やイオンは、酸化力の強い酸化剤と反応すると考えられるが、本発明のシアン含有廃水用処理剤のシアン処理の有効成分であるＮ−クロロスルファマートおよびＮ−ブロモスルファマートは、酸化力が弱く、シアン化物イオン（「フリーシアン」または「遊離シアン」ともいう）のような容易に酸化される物質のみに優先的に反応するものと考えられ、安定化ハロゲン系酸化剤ともいう。
また、本発明のシアン含有廃水用処理剤の有効成分が、安定化ハロゲン系酸化剤として優先的にシアン化物イオンと反応して本発明の効果を発揮すると共に、ＯＲＰ（酸化還元電位）の上昇や、シアン含有廃水中に多量のハロゲンが残存することによる装置内の配管母材の腐食の発生や塩の析出リスクの低減をも期待できる。
【００２０】
したがって、本発明のシアン含有廃水用処理剤は、チオシアン酸およびその塩ならびにアンモニウムイオンから選択される１種以上の共存物質を含有するシアン含有廃水の処理についても、好適に用いることができる。
【００２１】
シアン含有廃水は、シアンの除去効果の点でｐＨ６以上であればよく、好ましくはｐＨ６〜１１、より好ましくはｐＨ６〜９である。
シアン含有廃水がｐＨ６未満では、有害なシアン化水素ガスが気散する危険性がある。一方、シアン含有廃水がｐＨ１１を超えると、アルカリ薬剤のコストが嵩む課題があり、またｐＨ９を超えると、廃水基準を超えるため、ｐＨ調整が必要となる。
処理対象のシアン含有廃水は、通常、このような中性域からアルカリ性域にあるが、この範囲外にある場合には、本発明の効果を阻害しない酸またはアルカリ、例えば硫酸または水酸化ナトリウムを処理廃水に添加してｐＨを調整すればよい。
【００２２】
（Ｂ）シアン含有廃水の処理方法
本発明のシアン含有廃水の処理方法は、本発明のシアン含有廃水用処理剤を、シアン含有廃水中に存在させ、該廃水中のシアンを分解させて該廃水からシアンを除去することを特徴とする。
【００２３】
本発明の発明者らは、「廃水中のシアンの分解」は、添加されたＮ−クロロスルファマートおよび／またはＮ−ブロモスルファマートによりシアンが酸化され、さらに生成されたシアン酸が加水分解により炭酸水素アンモニウムを生成することによるものと考えている。
【００２４】
本発明のシアン含有廃水の処理方法は、シアン含有廃水にＮ−クロロスルファマートおよび／またはＮ−ブロモスルファマートを存在させる方法であれば、特に限定されない。例えば、アルカリ剤およびグリシン、α−アラニン、グルタミン酸ナトリウム、アスパラギン酸ナトリウム、メチオニンおよびリジン塩酸塩などのアミノ酸類、スルファミン酸、コハク酸イミド、カプロラクタム、マレインイミドなどのアミド類、タウリンから選択される安定化剤を含有する水溶液と、次亜塩素酸および／または次亜臭素酸を含有する水溶液とを同時または別々に添加する方法や、アルカリ剤、スルファミン酸および臭化ナトリウムを含有する水溶液と、次亜塩素酸を含有する水溶液とを同時または別々に添加する方法等が挙げられる。
【００２５】
（スルファミン酸）
本発明において用いられるスルファミン酸は、水中でスルファミン酸を生成して次亜塩素酸および次亜臭素酸と反応し得る化合物を水に溶解することにより得ることができる。例えば、スルファミン酸ナトリウム、スルファミン酸カリウムなどのスルファミン酸のアルカリ金属塩；メチルスルファミン酸、メチルスルファミン酸ナトリウム、メチルスルファミン酸カリウム、メチルスルファミン酸アンモニウム、フェニルスルファミン酸、フェニルスルファミン酸ナトリウム、フェニルスルファミン酸カリウム、フェニルスルファミン酸アンモニウムなどの有機スルファミン酸またはその塩が挙げられる。特に、スルファミン酸ナトリウム、スルファミン酸カリウムは工業的に入手し易く、本発明において好適に用いられる。
【００２６】
（次亜塩素酸および次亜臭素酸）
本発明において用いられる次亜塩素酸および次亜臭素酸は、水中でそれぞれ次亜塩素酸および次亜臭素酸を生成してスルファミン酸と反応し得る化合物を水に溶解することにより得ることができる。例えば、次亜塩素酸ナトリウム、次亜塩素酸カリウム、次亜塩素酸カルシウム、次亜塩素酸マグネシウム、次亜臭素酸ナトリウム、次亜臭素酸カリウム、次亜臭素酸カルシウム、次亜臭素酸マグネシウムなどの次亜塩素酸および次亜臭素酸のアルカリ金属塩およびアルカリ土類金属塩が挙げられる。特に、次亜塩素酸ナトリウム、次亜塩素酸カリウム、次亜臭素酸ナトリウム、次亜臭素酸カリウムは工業的に入手し易く、本発明において好適に用いられる。また、食塩水や海水を電解槽で電解することによって得られる次亜塩素酸塩であってもよい。
【００２７】
（アルカリ剤）
本発明において用いられるアルカリ剤は、スルファミン酸およびその塩の酸性を中和し、かつその水溶液のｐＨをアルカリ性にし、かつ次亜ハロゲン酸とスルファミン酸との反応生成物であるＮ−クロロスルファマート水溶液またはＮ−ブロモスルファマート水溶液の安定性に寄与する機能を有する。アルカリ剤は、このような機能を発揮し得る化合物であれば特に限定されず、例えば、水酸化ナトリウム、水酸化カリウム、水酸化リチウム、水酸化マグネシウム、水酸化カルシウム、炭酸ナトリウム、炭酸カリウムなどが挙げられる。特に、水酸化ナトリウムや水酸化カリウムは工業的に入手し易く、本発明において好適に用いられる。
【００２８】
本発明のシアン含有廃水用処理剤へのＮ−クロロスルファマートおよび／またはＮ−ブロモスルファマートの添加量（シアン含有廃水中に存在させる量）は、シアン含有廃水に含まれるシアンの種類およびその濃度のほかに、シアン含有廃水に含まれる他の金属イオンの種類およびその濃度などの影響を受けるので、これらの添加量は条件に応じて適宜決定すればよい。具体的には、処理前のシアン含有廃水のシアン濃度などを予め測定しておき、この測定値に基づいて、各添加剤の添加量を決定すればよい。
【００２９】
本発明のシアン含有廃水用処理剤の添加量は対象となるシアン含有廃水中に含まれるシアンの含有量により異なるが、シアン含有廃水に、その中のシアン含有量に対して、Ｎ−クロロスルファマートおよびＮ−ブロモスルファマートの合計量の有効ハロゲン濃度が０．２モル当量以上になるように存在させるのが好ましい。より好ましくは、シアン含有廃水中のシアン含有量に対して、その有効ハロゲン濃度として１モル当量以上である。
その有効ハロゲン濃度が０．２モル当量未満では、シアン化物イオンとの反応が十分に起こらないため、シアン除去の効果が不十分になることがある。また、シアン含有廃水用処理剤の添加量の上限は特にないが、１０モル当量程度であれば、十分なシアン除去効果が得られる。
【００３０】
本発明において処理対象となるシアン含有廃水におけるシアンの含有量は、特に限定されないが、上記のシアン含有廃水は、一般に全シアン濃度で２〜５００ｍｇ／Ｌ程度である。このようなシアン含有廃水を処理する場合には、シアン含有廃水に対して、アルカリ剤を０．６〜２０００ｍｇ／Ｌ、好ましくは１〜６００ｍｇ／Ｌ、スルファミン酸化合物を０．０５〜１０００ｍｇ／Ｌ、好ましくは０．０８〜３００ｍｇ／Ｌ、次亜塩素酸塩および次亜臭素酸塩を合計で３〜１００００ｍｇ／Ｌ、好ましくは５〜３０００ｍｇ／Ｌとなるように、シアン含有廃水に添加すればよい。
【００３１】
（シアン含有廃水）
処理対象のシアン含有廃水は、（Ａ）シアン含有廃水用処理剤で説明したとおりであり、チオシアン酸およびその塩ならびにアンモニウムイオンから選択される１種以上の共存物質を含有する廃水であるのが好ましい。
また、処理対象のシアン含有廃水は、ｐＨ６〜１１であるのが好ましく、この範囲外にある場合には、酸またはアルカリで調整された廃液であるのが好ましい。
【００３２】
（撹拌）
上記の各化合物の添加時、およびこれらの添加された化合物とシアンとの反応時には、シアンの除去効果の点で、混合溶液を撹拌するのが好ましい。この撹拌は、各化合物の添加毎に実施するのが好ましい。
また、撹拌時の反応を促進する意味で、混合溶液は、添加した化合物が分解されない、ある程度加温された状態であるのが好ましく、その液温は２０〜６０℃程度である。
さらに、撹拌時の反応に要する時間は、シアン含有廃水の量、シアンの種類およびその濃度、処理装置の形態およびその規模などにより異なるが、シアンと添加した化合物とが十分に接触するように適宜決定すればよい。通常、撹拌時間は１０分以上であればよく、２０〜６０分とするのがより好ましい。
【００３３】
（処理および沈殿分離）
化合物の添加、撹拌混合、沈降分離、水不溶性塩の除去などの一連の操作には、添加剤槽、反応処理槽、シックナーおよび除濁沈殿池などの公知の装置を用いることができ、既設の装置を転用してもよい。
本発明のシアン含有廃水の処理方法では、本発明の効果を阻害しない範囲で、防錆剤、腐食防止剤、スケール分散剤、スライムコントロール剤などの公知の薬剤を併用してもよい。
また、沈降分離においては、本発明の効果を阻害しない範囲で、界面活性剤や凝集剤を添加してもよい。
ここで、本発明において「水不溶性」とは、化合物（塩）が２０℃における水１００ｇに対して１ｇ以下の溶解度を有し、その化合物は、沈降分離や濾別により液相と分離可能であることを意味する。
【００３４】
以上の処理により、シアンを含有する廃水、特にチオシアン酸イオンやアンモニウムイオンなどの共存化合物が存在するシアン含有廃水に対して、従来よりも薬剤添加量を極力抑え、簡便な操作で安全に廃水中のシアンを除去し、処理前のシアン濃度（全シアン含有量（ｍｇ／Ｌ））を排水基準値以下に顕著に低減させることができ、処理後の廃水を中和処理なしに、そのまま下水などに排出または再利用することができる。
本発明の方法において、処理排水をそのまま放流する場合には、全シアン濃度を排水基準値以下に低下させるのに必要な量の化合物を添加すればよいが、処理排水を他の排水で希釈して放流する場合には、希釈後の排水が上記の排水基準値以下になるように化合物を添加すればよい。
通常、工場などにおいては、処理排水を他の排水で希釈して放流する場合が多く、費用に対する効果を考慮して、各有効成分の添加量をコントロールするのが好ましい。
よって、処理後の全シアン濃度が１ｍｇ／Ｌ以下にならない場合、概ね５ｍｇ／Ｌ以下になる場合も本発明に含まれる処理であることが理解される。
【実施例】
【００３５】
本発明を試験例により具体的に説明するが、本発明はこれらの試験例により限定されるものではない。
【００３６】
下記の試験例１では、表１に示す水質を有するように調製した合成水（ｐＨ８．２）に、遊離シアン（Ｆ−ＣＮ）、チオシアン酸イオン（ＳＣＮ-）およびアンモニウムイオン（ＮＨ4+）が表３に示す含有量になるように調製した合成シアン含有廃水Ａを用いた。
上記の合成シアン含有廃水の調製には、フェロシアン化カリウム水溶液、シアン化カリウム水溶液、チオシアン酸カリウム水溶液、塩化カルシウム２水和物水溶液、塩化ナトリウム水溶液、硫酸ナトリウム水溶液、塩化アンモニウム水溶液および炭酸水素ナトリウム水溶液を用いた。
【００３７】
【表１】
0005990717.tif 000002
【００３８】
下記の試験例２では、某製鉄所のコークス炉廃水ラインより採取した、表２に示す水質を有するシアン含有廃水Ｂ（ｐＨ８．６）を用いた。
【００３９】
【表２】
0005990717.tif 000003
【００４０】
（製剤例１：Ｎ−クロロスルファマートの調製）
容量５００ｍＬのビーカーに、それぞれ純水を４８．８ｇ、スルファミン酸を２３．８ｇ、４８％水酸化ナトリウム水溶液を４７.０ｇ、１０．６％次亜塩素酸ナトリウム水溶液を１３０．５ｇ添加し、撹拌してＮ−クロロスルファマート水溶液（有効塩素濃度５．５％）を得た。
【００４１】
（製剤例２：Ｎ−ブロモスルファマートの調製）
容量５００ｍＬのビーカーに、それぞれ１０．６％次亜塩素酸ナトリウム水溶液を１７２ｇ、４８％水酸化ナトリウム水溶液を３５ｇ、臭化ナトリウムを４０ｇ添加し、５０℃のウォーターバスで２時間撹拌して黄色透明水溶液を得た。また、これとは別に容量２００ｍＬのビーカーに、それぞれ純水を６４.０ｇ、スルファミン酸を３１．２ｇ、４８％水酸化ナトリウム水溶液を２７ｇ添加し、撹拌して透明水溶液を得た。上述の黄色透明水溶液と透明水溶液を室温下で混合してＮ−ブロモスルファマート水溶液（有効臭素濃度１０．２％）を得た。
【００４２】
（試験例１）
容量１００ｍＬのビーカーに、それぞれシアン含有廃水Ａを１００ｍＬ分注し、表３に示す濃度になるようにＮ−クロロスルファミン酸ナトリウム、Ｎ−ブロモスルファミン酸ナトリウム、次亜塩素酸ナトリウムおよび次亜臭素酸ナトリウムから選択される１種をそれぞれ添加して試験水を得た。
一部の試験水には、硫酸水溶液または水酸化ナトリウム水溶液を添加して、試験水のｐＨが表３に示す値になるように調整した。
次いで、得られた試験水を、撹拌装置（アズワン株式会社製、マグネチックスターラー、型式：ＲＳ−４ＡＲ、撹拌子：プレーン形、最長辺３０ｍｍ）を用いて回転数２５０ｒｐｍで１５分間撹拌した。
次いで、試験水（処理液）中の全シアン濃度（Ｔ-ＣＮ）を、全シアン検定器（株式会社共立理化学研究所製、型式：ＷＡ−ＣＮＴ）を用いてピクリン酸法により測定し、各試験水におけるシアン化合物の除去効果を評価した。
この試験においては、薬剤を添加しないブランク試験（比較例４）を同時に行った。
得られた結果を、添加化合物とその添加量および試験水のｐＨと共に表３に示す。
【００４３】
【表３】
0005990717.tif 000004
【００４４】
表３の試験結果から次のことがわかる。
・本発明のシアン含有廃水用処理剤で処理した場合には、十分なシアン除去効果を有すること（実施例１〜１１）
・共存物質（ＳＣＮ-、ＮＨ4+）を含むシアン含有廃水を、本発明のシアン含有廃水用処理剤で処理した場合にも、十分なシアン除去効果を有すること（実施例８〜１０）
・共存物質（ＳＣＮ-、ＮＨ4+）を含むシアン含有廃水を、次亜塩素酸ナトリウムまたは次亜臭素酸ナトリウムを含有するシアン含有廃水用処理剤で処理した場合には、十分なシアン除去の効果が得られないこと（比較例１〜３）
・共存物質（ＳＣＮ-）を含むシアン含有廃水を、次亜臭素酸ナトリウムを含有するシアン含有廃水用処理剤で処理した場合には、過剰量の次亜臭素酸ナトリウムを用いても十分なシアン除去効果が得られないこと（比較例２）
【００４５】
（試験例２）
容量１００ｍＬのビーカーに、それぞれシアン含有廃水Ｂを１００ｍＬ分注し、表４に示す濃度になるようにＮ−クロロスルファミン酸ナトリウムおよび次亜塩素酸ナトリウムから選択される１種をそれぞれ添加して試験水を得た。
一部の試験水には、硫酸水溶液または水酸化ナトリウム水溶液を添加して、試験水のｐＨが表４に示す値になるように調整した。
次いで、得られた試験水を、撹拌装置（アズワン株式会社製、マグネチックスターラー、型式：ＲＳ−４ＡＲ、撹拌子：プレーン形、最長辺３０ｍｍ）を用いて回転数２５０ｒｐｍで１５分間撹拌した。
次いで、試験水（処理液）中の全シアン濃度（Ｔ-ＣＮ）をＪＩＳ  Ｋ０１０２に準拠して測定し、各試験水におけるシアン化合物の除去効果を評価した。
この試験においては、薬剤を添加しないブランク試験（比較例６）を同時に行った。
得られた結果を、添加化合物とその添加量および試験水のｐＨと共に表４に示す。
【００４６】
【表４】
0005990717.tif 000005
【００４７】
表４の試験結果から次のことがわかる。
・本発明のシアン含有廃水用処理剤で処理した場合には、十分なシアン除去効果を有すること（実施例１２〜１３）
・共存物質（ＳＣＮ-、ＮＨ4+）を含むシアン含有廃水を、次亜塩素酸ナトリウムを含有するシアン含有廃水用処理剤で処理した場合には、十分なシアン除去の効果が得られないこと（比較例５）
【要約】
【課題】シアンを含有する廃水、特にチオシアン酸イオンやアンモニウムイオンなどの共存化合物が存在するシアン含有廃水に対して、従来よりも薬剤添加量を極力抑え、簡便な操作で安全に廃水中のシアンを除去し得るシアン含有廃水用処理剤およびそれを用いるシアン含有廃水の処理方法を提供することを課題とする。
【解決手段】Ｎ−クロロスルファマートおよび／またはＮ−ブロモスルファマートを含有する水溶液であることを特徴とするシアン含有廃水用処理剤により、上記の課題を解決する。
【選択図】なし